(57)【要約】【課題】本発明は、陳列商品の盗難を有効に防止せしめることが出来る、商品販売装置を提供するものである。【解決手段】基台１上に所要の角度をもって傾斜状に配設された商品収容ケ−ス６と、該商品収容ケ−ス６下端の排出口１０側に連接された排出シュ−ト１１と、該排出シュ−ト１１に商品収容ケ−ス６内の収容商品Ａを順次排出せしめるべく上下に回動自在なシ−ソ−状に軸着された付勢バネ１９付き排出レバ−１５と、該排出レバ−１５の下方回動に連動して作動せしめるべく配設された警報手段２４とよりなり、上記排出レバ−１５の一端には同他端の下方回動に連動して商品収容ケ−ス６内に進入しつつ収容商品Ａを押出して排出シュ−ト１１に排出せしめる押圧片２０が形成されると共に、同排出レバ−１５のほぼ中位にはその上方回動に連動して排出シュ−ト１１内に突出しつつ後続の収容商品Ａを掛止してその取出しを阻止せしめる掛止片２１が枢着されている。【選択図】図２
2009022578.tif 000002
【特許請求の範囲】
【請求項１】
基台上に所要の角度をもって傾斜状に配設された商品収容ケ−スと、該商品収容ケ−ス
下端の排出口側に掛止段部を介して連接された商品取出し口付き排出シュ−トと、該排出
シュ−トに商品収容ケ−ス内の収容商品を順次排出せしめるべく上下に回動自在なシ−ソ
−状に軸着された付勢バネ付き排出レバ−と、該排出レバ−の下方回動に連動して作動せ
しめるべく配設された警報手段とよりなり、上記排出レバ−の一端には同他端の下方回動
に連動して商品収容ケ−ス内に進入しつつ収容商品を押出して排出シュ−トに排出せしめ
る押圧片が形成されると共に、同排出レバ−のほぼ中位にはその上方回動に連動して排出
シュ−ト内に突出しつつ後続の収容商品を掛止してその取出しを阻止せしめる掛止片が枢
着されてなることを特徴とする、商品販売装置。
【請求項２】
警報手段が発音体及び／または発光体を使用することを特徴とする、請求項１記載の商
品販売装置。
【発明の詳細な説明】
【技術分野】
【０００１】
本発明は、陳列商品の盗難を有効に防止せしめることが出来る、商品販売装置に関する
。
【背景技術】
【０００２】
従来より、高額な商品はショ−ケ−ス内に陳列し、客の求めに応じて取出すものとされ
ているが、近時は超高額又は小物で高価な商品は別として、通常は客が商品を見て触れる
陳列販売のために盗難が多発し、由々しき問題を生起せしめている。そして、特にドラッ
グストア等においては、ヘルス・アンド・ビュ−ティをテ−マにした品揃えがなされ、大
衆薬、化粧品、あるいはサプリメントなど比較的サイズが小さくて高額な商品が陳列され
ると共に、店舗の規模が大型化していることとも相まって、陳列商品の盗難が発生しやす
いものである。                                                            
【０００３】
かかる陳列商品の盗難防止策として、従来より、店舗内の所要箇所に顧客監視用カメラ
を配置し、監視カメラによるモニタ画面を見ながら係員が不正者を見つけ出す方法が用い
られている。  
【０００４】
また、特開２００２−７４２８６号公報には、予め商品の個々に感知タグと呼ばれる盗
難防止用のタグを取付けておき、出口において未清算の商品を検知せしめる感知タグ方式
が開示されている。
【特許文献１】特開２００２−７４２８６号公報
【発明の開示】
【発明が解決しようとする課題】
【０００５】
ところで、上記の監視カメラによる方法は、専任の係員を必要とするのみならず、人により視覚的に検知せしめるものであるから見落しの危険があり、陳列商品の盗難防止策としては必ずしも万全とは云えないものである。
【０００６】
また、上記の感知タグ方法においては、盗難対策としては有効に機能する反面、予め陳
列販売対象の全商品に専用タグを取付ける作業が必要とされると共に、精算時において
も商品から一々タグを取外すなどの特殊な作業が必要とされるものであって、盗難防止
策として店舗側に多大の労力とコストを強いるものとなっている。
【０００７】
本発明は、従来の監視カメラや感知タグを使用することなく、陳列商品の盗難を有効に
防止せしめることが出来る、商品販売装置を提供しようとするものである。
【課題を解決するための手段】
【０００８】
上記の目的を達成するため、本発明の請求項１の発明は、基台上に所要の角度をもって
傾斜状に配設された商品収容ケ−スと、該商品収容ケ−ス下端の排出口側に掛止段部を介
して連接された商品取出し口付き排出シュ−トと、該排出シュ−トに商品収容ケ−ス内の
収容商品を順次排出せしめるべく上下に回動自在なシ−ソ−状に軸着された付勢バネ付き
排出レバ−と、該排出レバ−の下方回動に連動して作動せしめるべく配設された警報手段
とよりなり、上記排出レバ−の一端には同他端の下方回動に連動して商品収容ケ−ス内に
進入しつつ収容商品を押出して排出シュ−トに排出せしめる押圧片が形成されると共に、
同排出レバ−のほぼ中位にはその上方回動に連動して排出シュ−ト内に突出しつつ後続の
収容商品を掛止してその取出しを阻止せしめる掛止片が枢着されてなることを特徴とする
、商品販売装置を要旨とするものである。
【０００９】
上記請求項１記載の商品販売装置において、警報手段は発音体及び／又は発光体を使用
するものとされている。
【発明の効果】
【００１０】
本願請求項１記載の発明は上述のように構成されているから、収容商品を取出すさいに
は、排出レバ−を付勢バネの付勢に抗して下方に回動作動せしめつつ押圧片を商品収容ケ
−ス内に進入せしめ、収容商品を押圧して排出シュ−トに排出せしめると共に、警報手段
を作動せしめて警報を発生せしめる。そして、警報の発生により疾しい盗難の意欲を減退
させると共に、収容商品の取出しを店員に検知せしめ、両者が相まって盗難を有効に防止
せしめることが出来るものである。
逆に、収容商品の取出しが完了すると、付勢バネの付勢により排出レバ−が自動的に上
方へ回動作動し、警報手段の発生を停止せしめると共に、掛止片を排出シュ−ト内に突出
せしめつつ後続の収容商品を掛止せしめ、陳列収容商品の不正な取出しを確実に防止せし
めることが出来るものである。
【発明を実施するための最良の形態】
【００１１】
以下に、本発明を実施するための最良の形態を図面に示す一実施例に基づいて詳細に説
明する。
【００１２】
図１乃至図４は本発明の一実施例を示すもので、同図中、１は所要の幅と長さを備えた
細長な方形体状の基台、２は該基台１上に立設された略方形箱体状のケ−ス本体で、該ケ
−ス本体２は略直角三角形状とされた両側一対の側板３と、短尺状とされた前板４と、長
尺状とされた背板５とにより上端が傾斜状とされた略方形箱体状に形成されている。６は
上記ケ−ス本体２を構成する両側板３の上端に所定間隔をおいて取付けられた天板７と底
板８とにより区画形成されてなる細長な方形筒状の商品収納ケ−スで、該商品収納ケ−ス
６は後記する大衆薬などの高額な商品Ａを積み重ね状に収容せしめると共に、その自重に
より順次下端方向に摺動せしめるべく所要の角度でもって傾斜状に区画形成されている。
９は該商品収容ケ−ス６の上端がわに形成された商品供給口、１０は同商品収容ケ−ス６
の下端がわに形成された排出口、１１は該排出口１０がわの底板８に掛止段部１２を介し
て連接された傾斜面状の排出シュ−トで、該排出シュ−ト１１の下端部はストッパ−１３
を介して前板４の上端部に接続されると共に、その上方を開口せしめて商品取出し口１４
が形成されている。
【００１３】
１５は上記商品収容ケ−ス６内に収容せしめた商品を順次排出せしめるべくケ−ス本体
２内に軸１６を介して上下に回動自在なシ−ソ−状に配設された略弓形状の排出レバ−、
１７は該排出レバ−１５の一端部に取付けられた操作つまみで、該操作つまみ１７はケ−
ス本体２を構成する前板４の外方に突出せしめられると共に、前板４に形成されたガイド
溝孔１８に沿って上下に回動自在とされ、また、排出レバ−１５の他端部には軸１６を支
点として操作つまみ１７を常時上方に回動付勢せしめるべく付勢バネ１９が取付けられて
いる。２０は商品収容ケ−ス６に対応すべく上記排出レバ−１５の付勢バネ１９がわに形成された押圧片、２１は排出シュ−ト１１に対応すべく排出レバ−１５のほぼ中位に回動自在に枢着された掛止片で、上記押圧片２０は排出レバ−１５を付勢バネ１９の付勢に抗して下方に回動作動せしめるさいには底板８に形成されたガイド溝孔２２を通して商品収容ケ−ス６内に進入し、後記する収容商品Ａを押圧しつつ排出シュ−ト１１に排出せしめると共に、排出レバ−１５を上方に回動作動せしめたさいには商品収容ケ−ス６内より退出するものとされている。また、上記掛止片２１は押圧片２０とは逆に、排出レバ−１５を下方に回動作動せしめたさいには排出シ−ト１１に形成されたガイド溝孔２３を通して回動しつつ退出し、排出レバ−１５を上方に回動作動せしめたさいにはガイド溝孔２３を通して排出シ−ト１１内に突出し、後記する後続収容商品Ａを掛止してその取出しを阻止するものとされている。その他、２４は上記排出レバ−１５に電気的に接続せしめつつ、その下方に回動作動せしめたさいには連動して警報音を発生せしめるべくケ−ス本体２に内設された警報音発生装置、Ａは大衆薬や化粧品など比較的高額な小サイズの商品を示す
。
【００１４】
次に、上述の如く構成された実施例の作動について説明する。
先ず、付勢バネ１９の付勢により排出レバ−１５の操作つまみ１７を上方に自動的に回
動せしめ、前板４の上死点に位置せしめると共に、商品Ａを商品供給口９より商品収容ケ
−ス６内に供給せしめ、その自重により底板８に沿って下方に摺動せしめつつ積み重ね状
に収容せしめる。このさい、排出レバ−１５の押圧片２０は商品収容ケ−ス６外に退出し
、逆に掛止片２１は排出シュ−ト１１上に突出して収容商品Ａを掛止せしめ、その取出し
を阻止せしめる（図２参照）。
【００１５】
そして、商品収容ケ−ス６に収容せしめた陳列商品Ａを取出すさいには、操作つまみ１
７を下方に押圧せしめつつ、排出レバ−１５を付勢バネ１９の付勢に抗して下方に回動作
動せしめる。すると、排出レバ−１５の下方への回動作動により掛止片２１はガイド溝孔
２３を通して排出シュ−ト１１より外方に退出すると共に、押圧片２０はガイド溝孔２２
を通して商品収容ケ−ス６内に強制的に進入し、収容商品Ａを押圧しつつ送出して排出シ
ュ−ト１１に排出せしめ、これに連動して警報音発生装置２４を作動せしめつつ警報音を
発生せしめる（図３・４参照）。そして、かかる警報音の発生により疾しい盗難の意欲を
減退させると共、収容商品の取出しを定員に検知せしめ、両者が相まって盗難を有効に防止せしめることが出来る。
【００１６】
逆に、収容商品Ａの取出しが完了すると、付勢バネ１９の付勢により排出レバ−１５が
自動的に上方へ回動作動し、押圧片２０を商品収容ケ−ス６の外方に退出せしめると共に
、警報音発生装置２４の作動を停止せしめ、かつ、掛止片２１を排出シュ−ト１１内に突
出せしめつつ後続の収容商品Ａを掛止せしめ、陳列収容商品Ａの不正な取出しを確実に防
止せしめることが出来るものである。   
【００１７】
なお、上記実施例において、収容商品Ａとして大衆薬や化粧品など比較的小サイズの高
額商品を示したが、これに限定されるものでなく、これらに類した他の商品にも適用せし
めることが出来るものである。また、警報手段として警報音発生装置２４を示したが、こ
れに限定されるものでなく、公知の警報光発生装置を採択使用してもよいものである。  
【図面の簡単な説明】
【００１８】
【図１】本発明の一実施例を示す一部破断斜視図である。
【図２】実施例の排出レバ−１５を上方に回動作動せしめ、陳列収容商品Ａの不正な取出しを阻止せしめた状態を示す一部拡大断面図である。
【図３】実施例の排出レバ−１５を下方に回動作動せしめ、陳列収容商品Ａの取出し状態を示す一部拡大断面図である。
【図４】実施例の排出レバ−１５を下方に回動作動せしめ、陳列収容商品Ａを排出シュ−ト１１に排出せしめた状態を示す一部拡大断面図である。
【符号の説明】
【００１９】
１    基台
６    商品収容ケ−ス
１０  排出口
１１  排出シュ−ト
１２  掛止段部
１４  商品取出し口
１５  排出レバ−
１６  軸
１９  付勢バネ
２０  押圧片
２１  掛止片
２４  警報音発生装置
Ａ    商品
【図１】
2009022578.tif 000003
【図２】
2009022578.tif 000004
【図３】
2009022578.tif 000005
【図４】
2009022578.tif 000006